(57)【要約】【課題】物品載置棚とともに使用されるデスク本体を、デスク本体の天板を実質的に広げた状態で使用する形態と、天板の一部を物品載置棚内に納めてコンパクトに使用する形態とに、簡易な構成で組み替えることができるデスク装置を提供する。【解決手段】デスク装置１は、天板６、及び天板の両端部をそれぞれ支持する脚体７を有するデスク本体２と、棚板１４、１５、２３、３０、及び天板を挿通可能な開口を有するとともに開口の位置で上下に分割可能であって天板の一端部側に配置される物品載置棚３と、を備え、物品載置棚は、天板の下方に位置する下部構造体１０と、棚板を天板の高さ位置となる第一の位置と、天板の上方となる第二の位置と、に調整可能な上部構造体と、を有する。【選択図】図２
2011024630.tif 000002
【特許請求の範囲】
【請求項１】
天板、及び該天板の両端部をそれぞれ支持する脚体を有するデスク本体と、
棚板、及び前記天板を挿通可能な開口を有するとともに該開口の位置で上下に分割可能であって前記天板の一端部側に配置される物品載置棚と、
を備え、
該物品載置棚は、
前記天板の下方に位置する下部構造体と、
前記棚板を前記天板の高さ位置となる第一の位置と、前記天板の上方となる第二の位置と、に調整可能な上部構造体と、
を有することを特徴とするデスク装置。
【請求項２】
前記上部構造体は、
前記下部構造体に連結することで、前記棚板が前記第一の位置となる第一のユニットと、
前記下部構造体に連結することで、前記棚板が前記第二の位置となる第二のユニットと、
を有し、
前記第一のユニットと前記第二のユニットは、上下に入れ替え可能に構成されていることを特徴とする請求項１に記載のデスク装置。
【請求項３】
前記下部構造体は、前記棚板の前記開口に挿入される前記天板の一端部が配される側の縁部に、前記脚体を内部に収容する収容部を有することを特徴とする請求項１又は請求項２に記載のデスク装置。
【請求項４】
前記下部構造体は、前記棚板の前記天板が前記開口に挿通される挿通方向と交差する方向の両端部をそれぞれ支持する一対の下部側板を備え、
前記棚板の縁部が前記一対の下部側板の縁部よりも前記挿通方向の内側に位置することで、前記収容部が形成されていることを特徴とする請求項１から請求項３のいずれかに記載のデスク装置。
【請求項５】
前記天板は一対の下部側板間に少なくとも一方で左右方向に隙間を有して前記開口に挿入可能であることを特徴とする請求項４に記載のデスク装置。
【請求項６】
前記デスク本体は、前記天板が平面視で長方形に形成されているとともに、
前記脚体が、前記天板の前記下面の四隅にそれぞれ取り付けられて構成されていることを特徴とする請求項３から請求項５のいずれかに記載のデスク装置。
【請求項７】
前記収容部の前記天板が挿入される挿通方向に交差する方向の幅は、前記デスク本体の前記挿通方向に交差する方向に隣り合う２つの脚体の外側同士の幅寸法と等しく設定されていることを特徴とする請求項６に記載のデスク装置。
【発明の詳細な説明】
【技術分野】
【０００１】
本発明は、使用形態を変更可能なデスク装置に関する。
【背景技術】
【０００２】
従来、家庭等の勉強部屋、居間、書斎等の執務空間にて使用されるデスク装置においては、作業効率向上や使用性向上を目的として、執務に使用するための書籍、教科書、資料等の物品を載置・収納可能とした物品載置棚がデスク本体に近接して配置されているものがある。
さらに、デスク装置には、使用者が成長することによる体格の変化、使用環境の変化等により、デスク本体の天板の面積を様々に変えたいという要望があり、この要望を満たすために様々な構成のデスク装置が検討されている。
【０００３】
例えば、特許文献１に示すデスク装置では、机（デスク本体）に対して並列に配置して使用される本棚（物品載置棚）が、上本棚と下本棚とに分割／組立て可能である。そして、デスク装置の構成を変えて、上本棚を机の天板上に固定し、下本棚を天板の下部に取り付けられた右脚板及び左脚板の間であって天板の下方に配置することができる。
このデスク装置は、机と本棚とを並列に配置して天板を広く使用する形態と、分割した本棚を平面視で机の範囲内に納めてコンパクトに使用する形態とが組み替えできるとされる。
【０００４】
また、特許文献２に示すデスク装置では、学習机（デスク本体）と書棚（物品載置棚）が組み合わせて用いられる。この学習机には、天板と、天板に対して回動可能とされた拡張天板が備えられている。そして、拡張天板が天板の後端に連続するとともに天板の上面と面一となした水平姿勢と、拡張天板が天板の後端より後方へ突出しない格納姿勢とをとることが可能であるとされる。
【先行技術文献】
【特許文献】
【０００５】
【特許文献１】特開２００８−２２９２２０号公報
【特許文献２】特開２００８−２５３７１９号公報
【発明の概要】
【発明が解決しようとする課題】
【０００６】
しかしながら、上記の特許文献１に示すデスク装置では、使用形態の変化等により、天板の面積だけでは狭くなったときに、天板の面積より広い範囲で作業を行うことはできないという問題があった。
また、上記の特許文献２に示すデスク装置では、拡張天板を回動可能にする構成が複雑になってしまう。
【０００７】
本発明は、このような問題点に鑑みてなされたものであって、物品載置棚とともに使用されるデスク本体を、デスク本体の天板を実質的に広げた状態で使用する形態と、天板の一部を物品載置棚内に納めてコンパクトに使用する形態とに、簡易な構成で組み替えることができるデスク装置を提供することを目的とする。
【課題を解決するための手段】
【０００８】
上記課題を解決するために、この発明は以下の手段を提案している。
本発明のデスク装置は、天板、及び該天板の両端部をそれぞれ支持する脚体を有するデスク本体と、棚板、及び前記天板を挿通可能な開口を有するとともに該開口の位置で上下に分割可能であって前記天板の一端部側に配置される物品載置棚と、を備え、該物品載置棚は、前記天板の下方に位置する下部構造体と、前記棚板を前記天板の高さ位置となる第一の位置と、前記天板の上方となる第二の位置と、に調整可能な上部構造体と、を有することを特徴としている。
【０００９】
この発明によれば、デスク本体と物品載置棚の一の使用形態として、下部構造体上に第一の位置に調整された上部構造体を連結して物品載置棚を構成し、この物品載置棚において天板の高さ位置となった棚板にデスク本体の天板を並べて配置する。このように配置することで、デスク本体の天板の面積に物品載置棚の棚板の面積を加えて、デスク本体の天板を実質的に広げた状態で使用することができる。
また、デスク本体と物品載置棚の二の使用形態として、開口の位置で物品載置棚を上部構造体と下部構造体とに上下に分割し、上部構造体を一時的に外しておく。そして、下部構造体において開口が形成されていた部分にデスク本体の天板を配置して、下部構造体上に第二の位置に調整した上部構造体を連結して物品載置棚を構成する。このように配置することで、天板と棚板が干渉することなく物品載置棚内に天板の一部を納めて天板を棚板としても使用可能とし、デスク本体と物品載置棚をコンパクトにした状態で使用することができる。
【００１０】
また、上記二つの使用形態を可能とする構成として、天板を挿通可能な開口、及び、棚板を第一の位置及び第二の位置と二つの位置に調整可能な構成を物品載置棚に備えるだけである。このため、デスク本体として特殊な構成を備える必要がなく、物品載置棚としても上記構成を備えれば良いだけであるので、全体として簡易な構成で二つの使用形態の実現を図ることができる。
【００１１】
また、上記のデスク装置において、前記上部構造体は、前記下部構造体に連結することで、前記棚板が前記第一の位置となる第一のユニットと、前記下部構造体に連結することで、前記棚板が前記第二の位置となる第二のユニットと、を有し、前記第一のユニットと前記第二のユニットは、上下に入れ替え可能に構成されていることがより好ましい。
【００１２】
この発明によれば、下部構造体に連結するユニットを入れ替えることで、物品載置棚における一の使用形態と二の使用形態とを容易に組み替えることが可能となる。
さらに、第一のユニットと第二のユニットは、上下に入れ替え可能に構成されているので、下部構造体上に第一のユニットを連結したときはその第一のユニット上に第二のユニットを連結し、下部構造体上に第二のユニットを連結したときはその第二のユニット上に第一のユニットを連結することができる。したがって、一の使用形態と二の使用形態のいずれの場合においても、下部構造体に、第一のユニットと第二のユニットとを組み合わせた上部構造体を連結して使用することができる。
【００１３】
また、上記のデスク装置において、前記下部構造体は、前記棚板の前記開口に挿入される前記天板の一端部が配される側の縁部に、前記脚体を内部に収容する収容部を有することがより好ましい。
デスク装置を二の使用形態として使用したときに、天板の一端部が配される側の下部構造体の縁部から、デスク本体の脚体がはみ出すのを防止することができる。
【００１４】
また、上記のデスク装置において、前記下部構造体は、前記棚板の前記天板が前記開口に挿通される挿通方向と交差する方向の両端部をそれぞれ支持する一対の下部側板を備え、前記棚板の縁部が前記一対の下部側板の縁部よりも前記挿通方向の内側に位置することで、前記収容部が形成されていることがより好ましい。
この発明によれば、棚板の縁部に脚体を当接させるように配置することで、下部構造体の収容部内に脚体を容易に配置することができる。
【００１５】
また、上記のデスク装置において、前記天板は一対の下部側板間に少なくとも一方で左右方向に隙間を有して前記開口に挿入可能であることがより好ましい。
この発明によれば、デスク本体の位置を一対の下部側板間で左右に調整することができる。
【００１６】
また、上記のデスク装置において、前記天板が平面視で長方形に形成されているとともに、前記脚体が、前記天板の前記下面の四隅にそれぞれ取り付けられて構成されていることがより好ましい。
この発明によれば、デスク装置を二の使用形態として使用したときに、デスク本体の隣り合う２つの脚体を収容部内に収容することで、天板の一端部が配される側の下部構造体の縁部からデスク本体がはみ出すのを防止することができる。
【００１７】
また、上記のデスク装置において、前記収容部の前記天板が挿入される挿通方向に交差する方向の幅は、前記デスク本体の前記挿通方向に交差する方向に隣り合う２つの脚体の外側同士の幅寸法と等しく設定されていることがより好ましい。
この発明によれば、収容部内において２つの脚体が嵌合された状態になることで、この２つの脚体を挿通方向に交差する方向に位置決めすることができる。
【発明の効果】
【００１８】
本発明のデスク装置によれば、物品載置棚とともに使用されるデスク本体を、デスク本体の天板を実質的に広げた状態で使用する形態と、天板の一部を物品載置棚内に納めてコンパクトに使用する形態とに、簡易な構成で組み替えることができる。
【図面の簡単な説明】
【００１９】
【図１】本発明の第１実施形態のデスク装置の第一の配置形態における一部を破断した斜視図である。
【図２】同デスク装置の第一の配置形態における側面の要部断面図である。
【図３】同デスク装置の第一の配置形態における一部を破断した平面図である。
【図４】同デスク装置の第一の配置形態の物品載置棚の分解斜視図である。
【図５】同デスク装置の第二の配置形態における斜視図である。
【図６】同デスク装置の第二の配置形態の物品載置棚の分解斜視図である。
【図７】同デスク装置の第二の配置形態における側面の要部断面図である。
【図８】同デスク装置の第二の配置形態における一部を省略するとともに一部を破断した平面図である。
【図９】本発明の第１実施形態のデスク装置の第二の配置形態の変形例における一部を省略するとともに一部を破断した平面図である。
【図１０】本発明の第１実施形態のデスク装置の第二の配置形態の変形例における一部を省略するとともに一部を破断した平面図である。
【図１１】本発明の第１実施形態のデスク装置のデスク本体の変形例を示す図である。
【図１２】本発明の第１実施形態のデスク装置の第二の配置形態におけるデスク本体を物品載置棚に固定する他の方法を示す斜視図である。
【図１３】本発明の第２実施形態のデスク装置の第一の配置形態における側面の要部断面図である。
【図１４】同デスク装置の配置形態を変更する手順を示す説明図である。
【図１５】本発明の第２実施形態のデスク装置の第二の配置形態における側面の要部断面図である。
【図１６】他の実施形態の第一の配置形態における側面の要部断面図である。
【図１７】他の実施形態の第二の配置形態における側面の要部断面図である。
【発明を実施するための形態】
【００２０】
（第１実施形態）
以下、本発明に係るデスク装置の実施形態を、図１から図１２を参照しながら説明する。図１に示すように、このデスク装置１は、使用者が上部で作業を行うデスク本体２と、内部に書籍等を収納する物品載置棚３とを備え、使用者の使用形態に対応して第一の使用形態、第二の使用形態というようにデスク本体２と物品載置棚３の形態を変化させて配置できるものである。以下ではまず、図１及び図２を用いてデスク装置１の第一の使用形態について説明する。
デスク本体２は、平面視で長方形に形成された板状の天板６と、天板６の下面の四隅にそれぞれ取り付けられた４つの四角柱状の脚体７と、天板６の下面に取り付けられた第一の連結杆８、第二の連結杆９とを有する。
以下では、説明の便宜のため、第一の使用形態で、物品載置棚３に対してデスク本体２が配置されている方向を前方とする。
【００２１】
デスク本体２は、天板６の一方の長辺６ｂが前方に、他方の長辺６ｂが前方の反対側となる後方にくるように配置されている。なお、前方と後方とを合わせて、前後方向Ｄと呼ぶことにする。
脚体７の軸線に直交する水平面での断面は、一辺が長さＡの正方形となっている。そして、４つの脚体７は、それぞれの軸線が天板６に対して直交するように配置され、一端が天板６の下面に取り付けられるとともに他端が床面Ｇ上に配置される。
第一の連結杆８は一対備えられ、天板６の下面に短辺６ａに沿って取り付けられて両端が脚体７の上端にそれぞれ連結されている。また、第二の連結杆９は一対備えられ、天板６の下面に長辺６ｂに沿って取り付けられて両端が脚体７の上端にそれぞれ連結されている。
【００２２】
物品載置棚３は、互いに上下に分割／結合可能な第一の棚（下部構造体）１０、第二の棚（第一のユニット）１１、及び第三の棚（第二のユニット）１２とで構成されている。
なお、第二の棚１１と第三の棚１２で、上部構造体を構成する。
【００２３】
第一の棚１０は、所定の間隔Ｗ１をおいて、前後方向Ｄに直交する左右方向に対向するように配置された一対の第一の側板（下部側板）１３と、一対の第一の側板１３間に水平面に沿って配置される棚板１４、１５とを備えている。
一対の第一の側板１３の互いに向き合う内面間の距離は、天板６の長辺６ｂの長さにほぼ等しいか、わずかに大きい程度に設定されている。第一の側板１３の上端部の高さＨ１は、天板６の上面の高さＨ２より低く設定されている。すなわち、第一の棚１０は天板６の下方に位置している。
棚板１４と棚板１５はそれぞれ板状に形成され、棚板１４の上方に棚板１５が配置された状態で、棚板１４、１５の両端部が一対の第一の側板１３にそれぞれ固定されている。棚板１４及び棚板１５の前方側の縁部は、一対の第一の側板１３の前方側の縁部に一致するところまで延びている。
【００２４】
棚板１４の後方側の縁部には棚板１４に直交するように配置された背板１６が取り付けられている。背板１６は、棚板１４の上方と下方の両側に延びるように設けられている。棚板１４の下面には支持板１７が取り付けられている。そして、背板１６及び支持板１７の底面は、床面Ｇにそれぞれ当接している。
また、棚板１５の後方側の縁部には棚板１５に直交するように配置された背板１８が取り付けられている。背板１８は、棚板１５の上方と下方の両側に延びるように設けられている。
【００２５】
図２及び図３に示すように、背板１６の背面１６ａ及び背板１８の背面１８ａは、一対の第一の側板１３の後方側の縁部１３ａよりも前後方向Ｄ沿って内側となる範囲に、縁部１３ａから脚体７の一辺の長さＡだけ間隔を有して配置されている。そして、一対の第一の側板１３の間であって背面１６ａ及び背面１８ａより後方の範囲が、後述するように内部にデスク本体２の脚体７を収容する収容部１９として構成される。
さらに、図４に示すように、一対の第一の側板１３の上端部には、上方に向かって突出する突出部２０ａ、２０ｂがそれぞれ設けられている。
【００２６】
図１及び図２に示すように、第二の棚１１は、第一の棚１０と同様に間隔Ｗ１をおいて左右方向に対向するように配置された一対の第二の側板２２と、一対の第二の側板２２間に水平面に沿って配置される棚板２３と、棚板２３の後方側の下方に棚板２３に直交するように取り付けられた背板２４とを備えている。
第二の側板２２の高さＨ３は、この高さＨ３と第一の側板１３の高さＨ１との和が天板６の高さＨ２以上となるように設定されており、本実施形態では等しくなるように設定されている。また、第二の側板２２の奥行き（前後方向Ｄの長さ）は、第一の側板１３の奥行きと等しく設定されている。
棚板２３は一対の第二の側板２２の上端部に取り付けられていて、棚板２３の奥行きは、第二の側板２２の奥行きと等しくなっている。
さらに、図４に示すように、一対の第二の側板２２の上端部には、上方に向かって突出する突出部２５ａ、２５ｂがそれぞれ設けられている。一方、一対の第二の側板２２の下端部には、第一の棚１０の突出部２０ａ、２０ｂが嵌合可能な穴部２６ａ、２６ｂがそれぞれ上方に向かって形成されている。
以上説明した第一の棚１０と第二の棚１１の構成により、後述するように、第一の棚１０の上端部に第二の棚１１を連結したときに、第二の棚１１の棚板２３の上面は、デスク本体２の天板６の上面と同じ高さ位置となる第一の位置に調整されていることになる。
【００２７】
そして、図１及び図２に示すように、第三の棚１２は、第一の棚１０同様に間隔Ｗ１をおいて対向するように配置された一対の第三の側板２９と、一対の第三の側板２９間に水平面に沿って配置される棚板３０と、棚板３０の後方側の縁部に棚板３０に直交するように取り付けられた背板３１と備えている。
第三の側板２９の下端部から棚板３０の上面までの高さＨ４は、この高さＨ４と第一の側板１３の高さＨ１との和が天板６の高さＨ２より大きくなるように設定されている。さらに、第三の側板２９の下端部から背板３１の下端部までの高さと第一の側板１３の高さＨ１との和が、天板６の高さＨ２より大きくなるように設定されている。
また、第三の側板２９の奥行きは、第一の側板１３の奥行きと等しく設定されている。
棚板３０の前方側の縁部は、一対の第三の側板２９の前方側の縁部に一致するところまで延びている。
【００２８】
背板３１は、棚板３０の上方と下方の両側に延びるように設けられている。背板３１の背面３１ａは、一対の第三の側板２９の後方側の縁部２９ａよりも前方に、縁部２９ａから脚体７の一辺の長さＡだけ間隔を有して配置されている。なお、第三の棚１２において、背板３１を設けずに、棚板３０の後方側の縁部が、一対の第三の側板２９の後方側の縁部に一致するところまで延びるように構成しても良い。
さらに、図４に示すように、一対の第三の側板２９の上端部には、上方に向かって突出する突出部３３ａ、３３ｂがそれぞれ設けられている。一方、一対の第三の側板２９の下端部には、第二の棚１１の突出部２５ａ、２５ｂが嵌合可能な穴部３４ａ、３４ｂがそれぞれ上方に向かって形成されている。
以上説明した第一の棚１０と第三の棚１２の構成により、後述するように、第一の棚１０の上端部に第三の棚１２を連結したときに、第三の棚１２の棚板３０の上面は、デスク本体２の天板６の上面の上方である第二の位置に調整されることになる。
【００２９】
上記の第一の棚１０に設けられた突出部２０ａ、２０ｂは、第二の棚１１に形成された穴部２６ａ、２６ｂだけでなく、第三の棚１２に形成された穴部３４ａ、３４ｂにもそれぞれ嵌合する。そして、第三の棚１２に設けられた突出部３３ａ、３３ｂは、第二の棚１１に形成された穴部２６ａ、２６ｂにそれぞれ嵌合する。
このように、物品載置棚３は、第一の棚１０の上部に第二の棚１１を連結し、さらに第二の棚１１の上部に第三の棚１２を連結する形態と、第一の棚１０の上部に第三の棚１２を連結し、さらに第三の棚１２の上部に第二の棚１１を連結する形態とに、各棚１０〜１２が連結される形態を組み替えることができる。言い換えれば、第一の棚１０上で、第二の棚１１と第三の棚１２は上下に入れ替え可能に構成されている。
【００３０】
第一の棚１０、第二の棚１１、及び第三の棚１２は、前後方向Ｄに、左右方向の幅及び奥行きが互いに等しく設定されていて、各棚１０〜１２を組み合わせたときに、幅及び奥行きが一定である一体感のある物品載置棚３が構成される。
なお、第二の棚１１に設けられた突出部２５ａ、２５ｂ、及び第三の棚１２に設けられた突出部３３ａ、３３ｂを着脱可能に構成し、突出部が必要なときのみに各側板に装着するようにしても良い。
【００３１】
デスク装置１の第一の配置形態における物品載置棚３は、第一の棚１０に設けられた突出部２０ａ、２０ｂに第二の棚１１に形成された穴部２６ａ、２６ｂを嵌合させるとともに、第二の棚１１に設けられた突出部２５ａ、２５ｂに第三の棚１２に形成された穴部３４ａ、３４ｂを嵌合させることで、第一の棚１０、第二の棚１１、及び第三の棚１２をこの順で互いに連結して構成されている。
このとき、第二の側板２２の高さＨ３と第一の側板１３の高さＨ１との和が天板６の高さＨ２に等しくなるように設定されているので、第二の棚１１の棚板２３の上面は、デスク本体２の天板６の上面と同じ高さ位置となる。
【００３２】
さらに、図２に示すように、第一の棚１０の一対の第一の側板１３と棚板１５、第二の棚１１の一対の第二の側板２２と棚板２３により開口３５が形成され、第二の棚１１の棚板２３、第三の棚１２の一対の第三の側板２９と棚板３０により開口３６が形成される。
なお、使用者の便宜のため、上下方向に隣り合う一組の棚板間に形成される空間を左右方向に仕切る仕切り板を各一組の棚板間に適宜取り付けても良い。この第一の配置形態においては、第二の棚１１の棚板２３と第三の棚１２の棚板３０との間に、仕切り板３７ａ、３７ｂが公知のスライド機構を有する不図示の取付け部により左右方向にスライド可能に取り付けられている。
【００３３】
そして、上記のように構成された物品載置棚３の棚板２３の前方側の縁部に天板６の後方側の端部が当接した状態で、物品載置棚３の前方にデスク本体２が配置されている。
この状態で、図３に示すように、第一の棚１０の一対の第一の側板１３の内側の面とデスク本体２の後方に位置する脚体７の後方の面とが、固定部４０によりそれぞれ固定されている。
固定部４０は、Ｌ字型の固定部材４１と、固定部材４１の一端と第一の側板１３とを固定するネジ部材４２と、固定部材４１の他端と脚体７とを固定するネジ部材４３とで構成される。
また、第一の配置形態においては、使用者の必要に応じて、例えば第三の棚１２の棚板３０上、又はデスク本体２の天板６上に、不図示の照明具が設けられても良い。
【００３４】
このように、デスク装置１の第一の配置形態では、物品載置棚３の棚板２３の上面がデスク本体２の天板６の上面と前後方向Ｄに連なっている。
すなわち、デスク本体２の天板６の上面の面積に棚板２３の上面の面積が加えられ、天板６が実質的に広がった状態となる。
【００３５】
次に、上記のように構成されたデスク装置１を組み替えて、第二の配置形態とした構成について説明する。
図５及び図６に示すように、第二の配置形態の物品載置棚３は、第一の棚１０に設けられた突出部２０ａ、２０ｂに第三の棚１２に形成された穴部３４ａ、３４ｂを嵌合させるとともに、第三の棚１２に設けられた突出部３３ａ、３３ｂに第二の棚１１に形成された穴部２６ａ、２６ｂを嵌合させることで、第一の棚１０、第三の棚１２、及び第二の棚１１をこの順で互いに連結して構成されている。
そして、第一の棚１０の一対の第一の側板１３と棚板１５、第三の棚１２の一対の第三の側板２９と棚板３０により開口４６が形成され、第三の棚１２の一対の第三の側板２９と棚板３０、第二の棚１１の一対の第二の側板２２と棚板２３により開口４７が形成される。
【００３６】
ここで、第一の棚１０と第三の棚１２を連結する前に、すなわち開口４６の位置で第一の棚１０と第三の棚１２を分割した状態で、天板６の一方の長辺６ｂが前方側に、他方の長辺６ｂが後方側に配置されるようにして、天板６が第一の棚１０の上方を覆うように第一の棚１０に対してデスク本体２を配置する。このとき、図７に示すように、背板１６の背面１６ａ及び背板１８の背面１８ａに、後方側に配置された２つの脚体７を当接させて、この２つの脚体７を収容部１９の内部に収容する。そして、第一の棚１０に第三の棚１２を連結し、さらに第三の棚１２に第二の棚１１を連結する。
第三の側板２９の下端部から棚板３０の上面までの高さＨ４と第一の側板１３の高さＨ１との和が天板６の高さＨ２より大きくなるように設定されているので、第三の棚１２の棚板３０の上面は、デスク本体２の天板６の上面の上方に配置されている。
このため、第一の棚１０と第三の棚１２とで形成される開口４６にデスク本体２の天板６を前後方向Ｄに挿通することができる。
【００３７】
また、図５に示すように、使用者の便宜のため、第三の棚１２の棚板３０と第二の棚１２の棚板２３との間に、仕切り板３７ａ、３７ｂが公知のスライド機構を有する不図示の取付け部により左右方向にスライド可能に取り付けられている。
さらに、図８に示すように、第一の棚１０の背板１８の背面１８ａとデスク本体２の後方に位置する脚体７の側面とが、上記第一の配置形態で用いられた固定部４０によりそれぞれ固定されている。
【００３８】
このように、デスク装置１の第二の配置形態では、第三の棚１２の棚板３０がデスク本体２の天板６の上方である第二の位置に調整されているので、天板６が棚板３０に干渉することはない。
【００３９】
以上説明したように、本実施形態のデスク装置１によれば、デスク本体２と物品載置棚３の第一の配置形態として、第一の棚１０上に第一の位置に調整された第二の棚１１を連結し、さらに第二の棚１１に第三の棚１２を連結して物品載置棚３を構成し、この物品載置棚３の棚板２３にデスク本体２の天板６を並べて配置する。このように配置することで、デスク本体２の天板６の上面の面積に物品載置棚３の棚板２３の上面の面積を加えて、デスク本体２の天板６を実質的に広げた状態で使用することができる。
また、第一の配置形態の物品載置棚３を開口３５の位置で物品載置棚３を第一の棚１０と、第二の棚１１及び第三の棚１２とに上下に分割し、第二の棚１１及び第三の棚１２を一時的に外しておく。そして、第一の棚１０において開口３５が形成されていた部分にデスク本体２の天板６を配置して、第一の棚１０上に第二の位置に調整された第三の棚１２を連結し、さらに第三の棚１２に第二の棚１１を連結して物品載置棚３を構成する。このように配置することで、天板６と各棚板が干渉することなく物品載置棚３内に天板６の一部を納めて、デスク本体２と物品載置棚３をコンパクトにした状態で使用することができる。
これにより、デスク装置１を設置するスペースを抑えることができる。
【００４０】
また、上記の第一の配置形態と第二の配置形態の二つの使用形態を可能とする構成として、天板６を挿通可能な開口、及び、棚板を第一の位置及び第二の位置と二つの位置に調整可能な構成を物品載置棚３に備えるだけである。このため、デスク本体２として特殊な構成を備える必要がなく、物品載置棚３としても上記構成を備えれば良いだけであるので、全体として簡易な構成で二つの使用形態の実現を図ることができる。
【００４１】
また、第一の棚１０に連結する第二の棚１１、第三の棚１２を入れ替えることで、物品載置棚３における第一の配置形態と第二の配置形態とを容易に組み替えることが可能となる。
さらに、第二の棚１１と第三の棚１２は、上下に入れ替え可能に構成されているので、第一の棚１０上に第二の棚１１を連結したときはその第二の棚１１上に第三の棚１２を連結し、第一の棚１０上に第三の棚１２を連結したときはその第三の棚１２上に第二の棚１１を連結することができる。
したがって、第一の配置形態と第二の配置形態のいずれの場合においても、第一の棚１０に、第二の棚１１と第三の棚１２とを上下に入れ替えて組み合わせたものを連結して使用することができる。
【００４２】
また、収容部１９内に脚体７を収容させることで、収容部１９内に収容した脚体７を収容部１９から後方に突出させることなく、デスク本体２と物品載置棚３とを組み合わせることができる。
また、第一の棚１０において、第一の側板１３の後方側の縁部１３ａよりも背板１６の背面１６ａ及び背板１８の背面１８ａが前方に位置することで、収容部１９が形成されている。したがって、背板１６の背面１６ａ及び背板１８の背面１８ａに後方側に配置された２つの脚体７を当接させるように配置することで、収容部１９内に脚体７を容易に配置することができる。
【００４３】
また、４つの脚体７は、平面視で長方形に形成された天板６の下面の四隅にそれぞれ取り付けられているので、デスク本体２の隣り合う２つの脚体７を収容部１９内に収容することで、デスク本体２を物品載置棚３から後方側に突出しないように配置することができる。
【００４４】
なお、本実施形態の第二の配置形態において、図９に示すように、天板６の一方の短辺６ａが前方側に、他方の短辺６ａが後方側に配置されるようにして、物品載置棚３に対してデスク本体２を配置しても良い。
デスク本体２をこのように配置することで、天板６は一対の第一の側板１３間に左右方向の少なくとも一方で隙間を有して配設されるので、天板６の位置を一対の第一の側板１３間で調整することができる。
また、第二の配置形態において、天板６の短辺６ａ側と長辺６ｂ側のいずれが前方にくるようにもデスク本体２を配置することができるので、使用者の使い勝手を向上させることができる。
【００４５】
また、本実施形態では、図１０に示すように、第一の側板１３の内面間の距離Ｗ２が、左右方向に隣り合う２つの脚体７の外寸法Ｗ３より大きいときには、収容部５１の左右方向の幅は外寸法Ｗ３に等しく設定されていても良い。
このように構成すると、収容部５１内において２つの脚体７が嵌合された状態になるので、収容部５１に収容した２つの脚体７を左右方向に位置決めすることができる。
【００４６】
また、本実施形態では、図１１に示すように、物品載置棚３にデスク本体２に代えてデスク本体５４を組み合わせても良い。デスク本体５４は、上記実施形態のデスク本体２の４つの脚体７に代えて、天板６の対向する一組の端部６ｃから端部６ｃの全幅にわたって下方に延びる板状の脚体５５をそれぞれ備えている。
収容部１９には一方の脚体５５のみしか収容できないので、第二の配置形態において物品載置棚３にデスク本体５４を組み付ける向きが制限されることになるが、デスク本体５４を床面Ｇ上により安定した状態で配置することがきる。
【００４７】
また、本実施形態では、図１２に示すように、第二の配置形態のときに固定部４０を用いて固定するのに代えて、後方側に配置された一組の脚体７に前後方向Ｄに形成された貫通孔７ａを挿通したネジ部材５８で、脚体７を第一の棚１０の背板１８に固定しても良い。
なお、脚体７を背板１８に固定するネジ部材５８の数に制限はなく、１つ以上であれば幾つでも良い。
【００４８】
また、本実施形態では、デスク装置１の第一の配置形態において、第二の側板２２の高さＨ３と第一の側板１３の高さＨ１との和が天板６の高さＨ２に等しくなるように設定されているとした。しかし、第二の側板２２の高さＨ３と第一の側板１３の高さＨ１との和を、天板６の高さＨ２に対して天板６の厚さ程度大きくても良いし、小さくても良い。天板６の高さＨ２に対して棚板２３の高さが天板６の厚さ程度高かったり低かったりしていても、実使用上は問題ないからである。
また、本実施形態では、第一の棚１０の背板１６及び背板１８は設けられなくても良い。背板１６及び背板１８は設けられなくても、棚板１４及び棚板１５上に書籍等を収納できるからである。
この場合、一対の第一の側板１３の間であって棚板１４、１５の後方側の縁部より後方の範囲が、収容部として構成される。
【００４９】
（第２実施形態）
次に、本発明に係る第２実施形態について説明するが、前記実施形態と同一の部位には同一の符号を付してその説明は省略し、異なる点についてのみ説明する。
図１３に示すように、本実施形態のデスク装置６１は、前述のデスク本体２と、内部に書籍等を収納する物品載置棚６３とを備え、使用者の使用形態に対応して第一の配置形態、第二の配置形態というように形態を変化させて配置できるものである。以下ではまず、図１３を用いてデスク装置６１の第一の配置形態について説明する。
【００５０】
物品載置棚６３は、天板６の下方に位置する下部構造体６４と、下部構造体６４の上端に接続される上部構造体６５とを備えている。
下部構造体６４は、前述の間隔Ｗ１をおいて左右方向に対向するように配置された一対の下部側板６７と、一対の下部側板６７間に水平面に沿って配置される棚板６８、６９とを備えている。
下部側板６７の内側の面において、水平面に沿う所定の平面上には、前方側に穴部７０が、後方側に穴部７１がそれぞれ形成されている。穴部７０、７１は、下部側板６７の全高さにわたり上下方向に略等間隔毎に形成されている。そして、一定の高さの穴部７０、７１に公知の固定部７２がそれぞれ着脱可能に取り付けられていて、棚板６８、６９は、両端部の前方側及び後方側で固定部７２により一対の下部側板６７に着脱可能にそれぞれ取り付けられている。
【００５１】
下部側板６７の上端部の高さＨ６は、天板６の上面の高さＨ２より低く設定されている。
棚板６８及び棚板６９の後方側の縁部は、一対の下部側板６７の後方側の縁部６７ａよりも前後方向Ｄ沿って内側となる範囲に、縁部６７ａから脚体７の一辺の長さＡだけ間隔を有して配置されている。そして、一対の下部側板６７の間であって棚板６８及び棚板６９の後方側の縁部より後方の範囲が、収容部７３として構成される。
さらに、一対の下部側板６７の上端部には、上方に向かって突出する突出部７４ａ、７４ｂがそれぞれ設けられている。
【００５２】
上部構造体６５は、間隔Ｗ１をおいて左右方向に対向するように配置された一対の上部側板７６と、上述の棚板６８と同様に構成された棚板７７、７８とを備えている。
上部側板７６の内側の面には、下部側板６７と同様に穴部７０、７１が形成され、棚板７７、７８は穴部７０、７１に取り付けた固定部７２により一対の上部側板７６に着脱可能に取り付けられている。
棚板７７及び棚板７８の後方側の縁部は、一対の上部側板７６の後方側の縁部７６ａよりも前後方向Ｄ沿って内側となる範囲に、縁部７６ａから脚体７の一辺の長さＡだけ間隔を有して配置されている。そして、一対の下部側板７６の間であって棚板７７及び棚板７８の後方側の縁部より後方の範囲が、収容部８０として構成される。
【００５３】
なお、各棚板６８、６９、７７、７８は、固定部７２を取り付ける穴部７０、７１の高さを変えることにより、所望の高さに取り付けることができる。そして、上部構造体６５の棚板７７の取り付け高さを変えることにより、棚板７７を天板６の高さ位置となる第一の位置と、天板６の上方となる第二の位置とに調整することができる。この第一の配置形態では、棚板７７は、上部側板７６の下端部から棚板７７の上面までの高さＨ７と下部側板６７の高さＨ６との和が天板６の高さＨ２に等しくなる第一の位置に設定されている。
さらに、一対の上部側板７６の下端部には、下部構造体６４の突出部７４ａ、７４ｂが嵌合可能な穴部７７ａ、７７ｂがそれぞれ上方に向かって形成されている。そして、下部側板６７の突出部７４ａ、７４ｂが上部側板７６の穴部７７ａ、７７ｂとそれぞれ嵌合することにより、下部構造体６４に上部構造体６５が連結される。
【００５４】
そして、上記のように構成された物品載置棚６３の棚板７７の前方側の縁部に天板６の後方側の端部が当接した状態で、物品載置棚６３の前方にデスク本体２が配置されている。
【００５５】
以上説明してきたように、物品載置棚６３は、棚板６９と棚板７７の間に形成される開口７９の位置で、下部構造体６４と上部構造体６５とに上下に分割可能になっている。
そして、デスク装置６１の第一の配置形態では、物品載置棚６３の棚板７７の上面とデスク本体２の天板６の上面とが同じ高さであって前後方向Ｄに連なっている。
【００５６】
次に、以上のように構成されたデスク装置６１を組み替えて、第二の配置形態とした構成について説明する
図１４に示すように、下部構造体６４から上部構造体６５を取り外し、デスク本体２を下部構造体６４を跨ぐように移動させて、図１５に示すように、デスク本体２の後方側の２つ脚体７を収容部７３にそれぞれ収容する。
そして、上部構造体６５の上部側板７６の下端部から棚板７７の上面までの高さＨ８を、この高さＨ８と下部側板６７の高さＨ６との和が天板６の高さＨ２より大きくなるように設定することで、棚板７７の高さ位置を第二の位置に調整する。このとき必要に応じて棚板７８の高さ位置を調整する。
次に、下部構造体６４に、棚板７７の高さ位置を第二の位置に調整した上部構造体６５を連結することで、後方側の２つ脚体７の上部が収容部８０に収容され、第二の配置形態のデスク装置６１が形成される。
【００５７】
このように、デスク装置６１の第二の配置形態では、上部構造体６５の棚板７７がデスク本体２の天板６の上方である第二の位置に調整されているので、天板６が棚板７７に干渉することはない。
なお、デスク装置６１の第一の配置形態及び第二の配置形態おいて、物品載置棚６３とデスク本体２を上記実施形態の固定部４０で固定しても良い。
【００５８】
以上説明したように、本実施形態のデスク装置６１によれば、デスク本体２と物品載置棚６３を第一の配置形態とすることで、天板６の上面の面積に棚板７７の上面の面積が加わり、デスク本体２の天板６を実質的に広げた状態で使用することができる。
そして、デスク本体２の隣り合う２つの脚体７を収容部７３内及び収容部８０に収容してデスク本体２と物品載置棚６３を第二の配置形態とすることで、デスク本体２を物品載置棚６３から後方側に突出しないように配置することができる。さらに、天板６の一部を物品載置棚６３内に納めてコンパクトに使用することができ、デスク装置６１を設置するスペースを抑えることができる。
【００５９】
次に、他の実施形態について説明するが、前記実施形態と同一の部位には同一の符号を付してその説明は省略し、異なる点についてのみ説明する。
図１６に示すように、デスク装置８１は、使用者が上部で作業を行うデスク本体８２と、内部に書籍等を収納する物品載置棚８３とを備え、使用者の使用形態に対応して第一の配置形態、第二の配置形態というように形態を変化させて配置できるものである。以下ではまず、図１６を用いてデスク装置８１の第一の配置形態について説明する。
【００６０】
デスク本体８２は、平面視で長方形に形成された板状の天板８６と、天板８６の下面の四隅にそれぞれ取り付けられた４つの四角柱状の脚体８７と、天板８６の下面に取り付けられた第一の連結杆８８、第二の連結杆８９と、天板８６の下面に取り付けられた延長機構９０とを有する。
脚体８７の軸線に直交する水平面での断面は、一辺の長さＡの正方形となっている。そして、４つの脚体８７は、それぞれの軸線が天板８６に対して直交するように配置され、一端が天板８６の下面に取り付けられるとともに他端が床面Ｇ上に配置される。
第一の連結杆８８は一対備えられ、天板８６の下面に左右方向に対向するように取り付けられて両端が脚体８７の上端にそれぞれ連結されている。また、第二の連結杆８９は一つ備えられ、天板８６の下面の前方に取り付けられて両端が脚体８７の上端にそれぞれ連結されている。
【００６１】
延長機構９０は、水平面に沿って配置された延長天板９１と、延長天板９１が水平面に沿って移動するように支持する支持手段９２とを有する。
使用者は、延長天板９１を天板８６に対して前後方向Ｄに引き出したり押し込んだりして、天板８６から後方側に突出する延長天板９１の突出長さを調節することができる。
この第一の配置形態では、延長天板９１は、後方側に最も突出した状態となっている。
【００６２】
物品載置棚８３は、所定の間隔をおいて対向するように配置された一対の第一の側板９５と、一対の第一の側板９５間に水平面に沿って配置された棚板９６〜９８とを備えている。
一対の第一の側板９５の互いに向き合う内面間の距離は、天板８６の左右方向の幅にほぼ等しいか、わずかに大きい程度に設定されている。
第一の側板９５の内側の面において、水平面に沿う所定の平面上には、前方側に穴部９９が、後方側に穴部１００がそれぞれ形成されている。穴部９９、１００は、第一の側板９５の全高さにわたり上下方向に略等間隔毎に形成されている。そして、一定の高さの穴部９９、１００に公知の固定部１０１がそれぞれ着脱可能に取り付けられていて、棚板９６〜９８は、左右方向の両端部の前方側及び後方側で固定部１０１により一対の第一の側板９５に着脱可能にそれぞれ取り付けられている。
本実施形態の棚板９６〜９８は、天板８６に干渉するのを避けるために、棚板９６、９７は天板８６の下方に、棚板９８は天板８６の上方にそれぞれ取り付けられている。
【００６３】
棚板９６〜９８の前方側の端部は、一対の第一の側板９５の前方側の端部までそれぞれ延びている。また、
棚板９６〜９８の後方側の端部は、第一の側板９５の後方側の縁部９５ａよりも前後方向Ｄ沿って内側となる範囲に、縁部９５ａから脚体７の一辺の長さＡだけ間隔を有して配置されている。そして、一対の第一の側板９５の間であって棚板９６〜９８の後方側の端部より後方の範囲が、後述するように内部にデスク本体８２の脚体８７を収容する収容部１０２として構成される。
【００６４】
デスク本体８２は、後方側の脚体８７が棚板９６、９７の前方側の端部に当接するように、物品載置棚８３の前方側に配置されている。
そして、後方側に最も突出した状態である延長天板９１は、棚板９７と棚板９８の間に配置されている。
【００６５】
このように、デスク装置８１の第一の配置形態では、天板８６の後方に延長天板９１が接続されていて、デスク本体８２の天板８６の面積が実質的に広がった状態となる。
【００６６】
次に、以上のように構成されたデスク装置８１を組み替えて、第二の配置形態とした構成について説明する。
図１６に示すデスク装置８１の第一の配置形態から、デスク本体８２の延長天板９１を押し込んで、延長天板９１が天板８６から後方に突出しないように設定する。
そして、デスク本体８２の後方側の脚体８７を収容部１０２に収容するが、その際に、デスク本体８２が棚板９８に干渉しないように一度棚板９８を取り外し、物品載置棚８３にデスク本体８２を組み付けてから、棚板９８を元の位置に取り付ける。
以上のように組み替えることにより、デスク装置８１が第二の配置形態となる。
【００６７】
以上説明したように、デスク装置８１によれば、デスク本体８２と物品載置棚８３を第一の配置形態とすることで、天板８６の上面の面積に延長天板９１の上面の面積の一部が加わり、デスク本体８２の天板８６を実質的に広げた状態で使用することができる。そして、デスク本体８２と物品載置棚８３を第二の配置形態とすることで天板８６の一部を物品載置棚８３内に納めてコンパクトに使用することができる。
また、デスク本体８２の隣り合う２つの脚体８７を収容部１０２内に収容して、デスク本体８２を物品載置棚８３から後方側に突出しないように配置することができる。
【００６８】
以上、本発明の第１実施形態、第２実施形態、及び他の実施形態について図面を参照して詳述したが、具体的な構成はこの実施形態に限られるものではなく、本発明の要旨を逸脱しない範囲の構成の変更等も含まれる。
【符号の説明】
【００６９】
１、６１  デスク装置
２、５４  デスク本体
３、６３  物品載置棚
６    天板
７、５５  脚体
１０  第一の棚（下部構造体）
１１  第二の棚（第一のユニット）
１２  第三の棚（第二のユニット）
１３  第一の側板（下部側板）
１３ａ、６７ａ  縁部
１４、１５、２３、３０、６８、６９、７７、７８  棚板
１９、５１、７３、８０  収容部
４６  開口
６５  上部構造体
６７  下部側板
Ｗ３  外寸法
【図１】
2011024630.tif 000003
【図２】
2011024630.tif 000004
【図３】
2011024630.tif 000005
【図４】
2011024630.tif 000006
【図５】
2011024630.tif 000007
【図６】
2011024630.tif 000008
【図７】
2011024630.tif 000009
【図８】
2011024630.tif 000010
【図９】
2011024630.tif 000011
【図１０】
2011024630.tif 000012
【図１１】
2011024630.tif 000013
【図１２】
2011024630.tif 000014
【図１３】
2011024630.tif 000015
【図１４】
2011024630.tif 000016
【図１５】
2011024630.tif 000017
【図１６】
2011024630.tif 000018
【図１７】
2011024630.tif 000019